(57)【要約】【課題】くるみ製本において、ユーザの操作性の向上及びバリエーション豊富な背表紙の作成を実現することである。【解決手段】情報処理装置１は、複数ページ分のデータを含む文書ファイル１７のうち、所望のページのデータに基づいてくるみ製本の背表紙用の印刷指示を行う制御部１０を備える。【選択図】図１
2007206953.tif 000002
【特許請求の範囲】
【請求項１】
複数ページ分のデータを含むデータファイルのうち、所望のページのデータに基づいてくるみ製本の背表紙用の印刷を指示する制御部、
を備えることを特徴とする情報処理装置。
【請求項２】
前記制御部は、前記データファイルのうち、前記所望のページ以外のページのうち少なくとも一部のページのデータに基づいて前記くるみ製本の本文用の印刷を指示することを特徴とする請求項１に記載の情報処理装置。
【請求項３】
前記制御部は、前記データファイルのうち、前記所望のページ以外のページのうち少なくとも一部のページのデータに基づいてくるみ製本の表表紙及び裏表紙用の印刷を指示することを特徴とする請求項１又は２に記載の情報処理装置。
【請求項４】
ユーザからの入力指示を受け付ける入力部を更に備え、
前記制御部は、前記入力部が受け付けた入力指示に基づいて前記所望のページを指定することを特徴とする請求項１から３のいずれか一項に記載の情報処理装置。
【請求項５】
前記入力部は、前記データファイルにおけるページ番号の入力を受け付け、
前記制御部は、前記入力部が受け付けた前記ページ番号に基づいて、前記所望のページを指定することを特徴とする請求項４に記載の情報処理装置。
【請求項６】
前記入力部は、ユーザから背表紙用の印刷の要否の指示を受け付け、
前記制御部は、前記入力部から受け付けた指示が背表紙印刷が要である場合、前記くるみ製本の背表紙用の印刷を指示することを特徴とする請求項４又は５に記載の情報処理装置。
【請求項７】
前記制御部は、前記データファイルのデータを画像形成装置に提供する印刷データに変換することを特徴とする請求項１から６のいずれか一項に記載の情報処理装置。
【請求項８】
コンピュータを、
複数ページ分のデータを含むデータファイルのうち、所望のページのデータに基づいてくるみ製本の背表紙用の印刷を指示する制御部、
として機能させるためのプログラム。
【請求項９】
前記制御部は、前記データファイルのうち、前記所望のページ以外のページのうち、少なくとも一部のページのデータに基づいて前記くるみ製本の本文用の印刷を指示することを特徴とする請求項８に記載のプログラム。
【請求項１０】
前記制御部は、前記データファイルのうち、前記所望のページ以外のページのうち少なくとも一部のページのデータに基づいてくるみ製本の表表紙用及び裏表紙用の印刷を指示することを特徴とする請求項８又は９に記載のプログラム。
【請求項１１】
前記コンピュータは、ユーザからの入力指示を受け付ける入力部を備え、
前記制御部は、前記入力部が受け付けた入力指示に基づいて前記所望のページを指定することを特徴とする請求項８から１０のいずれか一項に記載のプログラム。  
【請求項１２】
前記入力部は、前記データファイルにおけるページ番号の入力を受け付け、
前記制御部は、前記入力部が受け付けた前記ページ番号に基づいて、前記所望のページを指定することを特徴とする請求項１１に記載のプログラム。
【請求項１３】
前記入力部は、ユーザから背表紙用の印刷の要否の指示を受け付け、
前記制御部は、前記入力部から受け付けた指示が背表紙印刷が要である場合、前記くるみ製本の背表紙用の印刷を指示することを特徴とする請求項１１又は１２に記載のプログラム。
【請求項１４】
前記制御部は、前記データファイルのデータを、画像形成装置に提供する印刷データに変換することを特徴とする請求項８から１３のいずれか一項に記載のプログラム。
【発明の詳細な説明】
【技術分野】
【０００１】
本発明は、情報処理装置、及びプログラムに関する。
【背景技術】
【０００２】
近年、印刷業界でデジタル印刷機が導入されている。デジタル印刷機とは、電子化された印刷データに基づく印刷を直接行うことが可能な印刷機のことをいう。また、デジタル印刷機で印刷された印刷用紙を製本し、冊子を作成することが行われている。
【０００３】
製本の一例として、くるみ製本が知られている。くるみ製本は、表紙及び裏表紙が本文部を包むように製本がなされる。製本の際、表紙及び裏表紙は１枚の用紙に面付けされる。したがって、くるみ製本は、表紙および裏表紙が印刷された１枚の用紙からなる表紙部と、複数の用紙からなる本文部とから構成される。また、冊子に背表紙を含む場合、背表紙は表紙部に含まれて製本が行われる。
【０００４】
背表紙を含んでくるみ製本を行う際、背表紙の文字データ、表紙及び裏表紙の印刷データ及び本文部の印刷データに基づいて印刷が行われる。背表紙ページデータを印刷する際、ユーザが背表紙に印刷する文字列のフォントやサイズを指示できる技術が知られている（例えば、特許文献１参照）。
【特許文献１】特開２００２−３６１９６７号公報
【発明の開示】
【発明が解決しようとする課題】
【０００５】
しかし、上記の従来技術では、背表紙の文字データを含んだ冊子を印刷するとき、ユーザは背表紙の文字データを印刷毎に入力しなければならなかった。また、背表紙に印刷する文字列のフォントやサイズを指示できるが、絵や写真データ等を指示することはできなかった。
【０００６】
本発明の課題は、くるみ製本において、ユーザの操作性の向上及びバリエーション豊富な背表紙の作成を実現することである。
【課題を解決するための手段】
【０００７】
上記課題を解決するため、請求項１に記載の発明の情報処理装置は、
複数ページ分のデータを含むデータファイルのうち、所望のページのデータに基づいてくるみ製本の背表紙用の印刷を指示する制御部、
を備えることを特徴とする。
【０００８】
請求項２に記載の発明は、請求項１に記載の情報処理装置において、
前記制御部は、前記データファイルのうち、前記所望のページ以外のページのうち少なくとも一部のページのデータに基づいて前記くるみ製本の本文用の印刷を指示することを特徴とする。
【０００９】
請求項３に記載の発明は、請求項１又は２に記載の情報処理装置において、
前記制御部は、前記データファイルのうち、前記所望のページ以外のページのうち少なくとも一部のページのデータに基づいてくるみ製本の表表紙及び裏表紙用の印刷を指示することを特徴とする。
【００１０】
請求項４に記載の発明は、請求項１から３のいずれか一項に記載の情報処理装置において、
ユーザからの入力指示を受け付ける入力部を更に備え、
前記制御部は、前記入力部が受け付けた入力指示に基づいて前記所望のページを指定することを特徴とする。
【００１１】
請求項５に記載の発明は、請求項４に記載の情報処理装置において、
前記入力部は、前記データファイルにおけるページ番号の入力を受け付け、
前記制御部は、前記入力部が受け付けた前記ページ番号に基づいて、前記所望のページを指定することを特徴とする。
【００１２】
請求項６に記載の発明は、請求項４又は５に記載の情報処理装置において、
前記入力部は、ユーザから背表紙用の印刷の要否の指示を受け付け、
前記制御部は、前記入力部から受け付けた指示が背表紙印刷が要である場合、前記くるみ製本の背表紙用の印刷を指示することを特徴とする。
【００１３】
請求項７に記載の発明は、請求項１から６のいずれか一項に記載の情報処理装置において、
前記制御部は、前記データファイルのデータを画像形成装置に提供する印刷データに変換することを特徴とする。
【００１４】
請求項８に記載の発明のプログラムは、
コンピュータを、
複数ページ分のデータを含むデータファイルのうち、所望のページのデータに基づいてくるみ製本の背表紙用の印刷を指示する制御部、
として機能させることを特徴とする。
【００１５】
請求項９に記載の発明は、請求項８に記載のプログラムにおいて、
前記制御部は、前記データファイルのうち、前記所望のページ以外のページのうち、少なくとも一部のページのデータに基づいて前記くるみ製本の本文用の印刷を指示することを特徴とする。
【００１６】
請求項１０に記載の発明は、請求項８又は９に記載のプログラムにおいて、
前記制御部は、前記データファイルのうち、前記所望のページ以外のページのうち少なくとも一部のページのデータに基づいてくるみ製本の表表紙用及び裏表紙用の印刷を指示することを特徴とする。
【００１７】
請求項１１に記載の発明は、請求項８から１０のいずれか一項に記載のプログラムにおいて、
前記コンピュータは、ユーザからの入力指示を受け付ける入力部を備え、
前記制御部は、前記入力部が受け付けた入力指示に基づいて前記所望のページを指定することを特徴とする。
【００１８】
請求項１２に記載の発明は、請求項１１に記載のプログラムにおいて、
前記入力部は、前記データファイルにおけるページ番号の入力を受け付け、
前記制御部は、前記入力部が受け付けた前記ページ番号に基づいて、前記所望のページを指定することを特徴とする。
【００１９】
請求項１３に記載の発明は、請求項１１又は１２に記載のプログラムにおいて、
前記入力部は、ユーザから背表紙用の印刷の要否の指示を受け付け、
前記制御部は、前記入力部から受け付けた指示が背表紙印刷が要である場合、前記くるみ製本の背表紙用の印刷を指示することを特徴とする。
【００２０】
請求項１４に記載の発明は、請求項８から１３のいずれか一項に記載のプログラムにおいて、
前記制御部は、前記データファイルのデータを、画像形成装置に提供する印刷データに変換することを特徴とする。
【発明の効果】
【００２１】
請求項１、８に記載の発明によれば、既に存在するデータファイルの所望のページのデータを用いて背表紙用の印刷を指示するため、印刷指示を行う際に背表紙用に入力作業を行う必要が無く、くるみ印刷時の印刷設定が簡素化される。また、データファイルの内容を背表紙として適用できるため、データファイルが画像を扱えるアプリケーションにより作成されたものであれば、背表紙として画像を印刷することができる。
【００２２】
請求項２、９に記載の発明によれば、背表紙用の印刷指示及び本文用の印刷指示を同一のデータファイルを用いて行えるため、背表紙用のデータファイル、本文用のデータファイルといった別個のファイルを用意する必要が無く、くるみ印刷時の印刷設定が更に簡略化される。
【００２３】
請求項３、１０に記載の発明によれば、背表紙用の印刷指示及び表表紙、裏表紙用の印刷指示を同一のデータファイルを用いて行えるため、背表紙用のデータファイル、表表紙、裏表紙用のデータファイルといった別個のファイルを用意する必要が無く、くるみ印刷時の印刷設定が更に簡略化される。
【００２４】
請求項４、１１に記載の発明によれば、印刷設定時に背表紙用の所望のページを指定できるため、印刷設定時の自由度が高くなる。
【００２５】
請求項５、１２に記載の発明によれば、印刷設定時にデータファイルのページ番号を指定することにより背表紙用の所望のページを行うため、データファイル作成時にデータファイル中における背表紙のページ位置を意識する必要が無い。
【００２６】
請求項６、１３に記載の発明によれば、印刷設定時に背表紙印刷要否を指定できるため、くるみ製本用の印刷設定の自由度を確保できる。
【００２７】
請求項７、１４に記載の発明によれば、データファイルを直接印刷できない、ダイレクトプリント非対応の画像形成装置に対しても、くるみ印刷の設定を簡易に行うことができる。
【発明を実施するための最良の形態】
【００２８】
以下、添付図面を参照して本発明に係る実施の形態を詳細に説明する。ただし、発明の範囲は、図示例に限定されない。
【００２９】
図１を参照して、本実施の形態の画像形成システム１００を説明する。画像形成システム１００は、背表紙ページデータを設定してから、くるみ製本を行うシステムである。画像形成システム１００は、情報処理装置１と、画像形成装置２と、を備えて構成され、情報処理装置１と画像形成装置２とが通信ネットワークＮを介して通信接続される。
【００３０】
次いで、図２を参照して情報処理装置１を説明する。情報処理装置１は背表紙ページデータを設定するＰＣ（Personal Computer）である。情報処理装置１は、制御部１０と、入力部１１と、表示部１２と、ＨＤＤ（Hard Disk Drive）１３と、通信部１４と、を備えて構成され、各部がバス１８により接続される。
【００３１】
制御部１０は、ＣＰＵ（Central Processing Unit）とＲＡＭ（Random Access Memory）等により構成され、情報処理装置１の各部を中央制御する。制御部１０は、ＨＤＤ１３に記憶されているシステムプログラム及び各種アプリケーションプログラムの中から指定されたプログラムをＲＡＭに展開し、ＲＡＭに展開されたプログラムとＣＰＵとの協働で、各種処理を実行する。特にＨＤＤ１３には、後述する印刷データ送信プログラムが記憶される。
【００３２】
制御部１０は、後述する印刷データ送信プログラムとの協働により、印刷データ７１を画像形成装置２へ送信する。
【００３３】
入力部１１は、カーソルキー、数字入力キー及び各種機能キーなどを備えたキーボードを含む構成とし、操作者によりキーボードで押下された押下信号を制御部１０に出力する。また、入力部１１は、マウスなどのポインティングデバイスを含む構成としてもよい。
【００３４】
表示部１２は、ＬＣＤ（Liquid Crystal Display）、ＣＲＴ（Cathode Ray Tube）等で構成され、制御部１０からの表示信号に従って画面表示を行う。
【００３５】
ＨＤＤ１３は、磁気記録媒体を備え、制御部１０の指示により、各種情報を読み出し及び書き込み可能に磁気記録媒体に記憶する。ＨＤＤ１３には、ＯＳ（Operating System）１５とプリンタドライバプログラム１６と、文書ファイル１７と、が記憶される。ＯＳ１５は情報処理装置１のシステム全体を管理するソフトウェアである。プリンタドライバプログラム１６は、後述する印刷データ送信プログラムを含む。データファイルとしての文書ファイル１７はくるみ製本に用いられる複数のページデータである。文書ファイル１７の詳細な説明は後述する。
【００３６】
通信部１４は、モデム、ＴＡ（Terminal Adapter）、ルータ、ネットワークカード等により構成され、接続される通信ネットワークＮ上の画像形成装置２を含む外部機器と情報を送受信する。
【００３７】
次いで、図３を参照して画像形成装置２を説明する。画像形成装置２は、背表紙ページデータが設定された印刷データ７１を受信した後、くるみ製本を行う装置である。画像形成装置２は、制御部２０と、画像処理部２１と、印刷処理部２２と、後処理部２３と、通信部２４と、を備えて構成され、各部がバス２５により接続される。
【００３８】
制御部２０は、ＣＰＵ、ＲＯＭ（Read Only Memory）、ＲＡＭ等により構成され、画像形成装置２の各部を中央制御する。制御部２０は、ＲＯＭに記憶されているシステムプログラム及び各種アプリケーションプログラムの中から指定されたプログラムをＲＡＭに展開し、ＲＡＭに展開されたプログラムとＣＰＵとの協働で、各種処理を実行する。特にＲＯＭには、後述するくるみ製本プログラムが記憶される。
【００３９】
制御部２０は、後述するくるみ製本プログラムとの協働により、情報処理装置１から印刷データ７１を受信し、くるみ製本を実施する。制御部２０は、画像処理部２１、印刷処理部２２及び後処理部２３で行われる処理の全体の制御を行う。
【００４０】
画像処理部２１は、制御部２０により送信される画像処理指示及び面付け処理指示に基づいて処理を行う。画像処理指示とは、印刷データ７１に含まれる各ページデータを印刷可能な画像データに変換して、印刷処理部２２に印刷させることをいう。ここで、印刷データ７１とは、文書ファイル１７を画像形成装置２で解釈可能なデータに設定したデータをいう。また、面付け処理指示とは、印刷データ７１を面付け処理することをいう。印刷データ７１及び面付け処理については後述する。なお、画像処理部２１が有する全機能を制御部２０が備えるような構成であっても良い。
【００４１】
印刷処理部２２は、制御部２０により送信される印刷処理指示に基づいて処理を行う。印刷処理指示とは、画像処理されたデータを印刷媒体に印刷することをいう。ここで、印刷媒体とは、例えば記録紙等のことをいう。印刷処理部２２は電子写真方式、インクジェット方式等の印刷機能を有するプリンタ等で構成される。
【００４２】
後処理部２３は、制御部２０により送信される後処理指示に基づいて処理を行う。後処理指示とは、印刷後の印刷媒体にくるみ製本を行うことをいう。後処理部２３は製本機能を有する製本機等で構成される。
【００４３】
通信部２４は、モデム、ＴＡ（Terminal Adapter）、ルータ、ネットワークカード等により構成され、接続される通信ネットワークＮ上の情報処理装置１を含む外部機器と情報を送受信する。
【００４４】
次いで、図４を参照して、くるみ製本について説明する。くるみ製本で作成される冊子は、１枚の用紙からなる表紙部４１と、複数の用紙からなる本文部４２と、から構成される。表紙部４１は１枚の用紙に、表表紙４３及び裏表紙４５とが面付け処理されて印刷されている。表紙部４１は表表紙４３（外面）と、表表紙４３（内面）と、背表紙４４と、裏表紙４５（外面）と、裏表紙４５（内面）と、から構成される。また、本文部４２は、背表紙４４と糊付けされる。
【００４５】
次いで、図５を参照して、くるみ製本を行うための文書ファイル１７について説明する。文書ファイル１７は表紙ページデータ５１と、本文ページデータ５２と、背表紙ページデータ５３と、から構成される。表紙ページデータ５１は、表表紙４３と、裏表紙４５と、から構成される。本文ページデータ５２は本文部４２から構成される。背表紙ページデータ５３は、背表紙４４から構成される。図５に示す文書ファイル１７は、表紙ページデータ５１が４ページ、本文ページデータ５２が２ページ、背表紙ページデータ５３が１ページの計７ページで構成される。ここで、各ページを表表紙外面Ｐ１、表紙内面Ｐ２，本文Ｐ３，本文Ｐ４、裏表紙内面Ｐ５，裏表紙外面Ｐ６、背表紙Ｐ７とする。Ｐ１〜Ｐ７は文書ファイル１７のページ番号を示す。また、背表紙は、ページのセンターに配置する。ここで、文書ファイル１７のページ番号の頁数は図５の例に限定されない。
【００４６】
次いで、図６を参照して、くるみ製本設定について説明する。図６は情報処理装置１の表示部１２に表示されるくるみ製本の設定画面である。ユーザは表示部１２に表示される設定情報を基にして、くるみ製本に関する設定を行うことができる。例えば、くるみ製本を行う場合、入力部１１を介して、「くるみ製本」のチェック部にチェックを入れる。そして、冊子に背表紙ページデータ５３が必要な場合、「背表紙ページデータ」のチェック部にチェックを入れる。さらに、背表紙ページデータ５３とするページ番号を「背表紙ページデータページ番号  ページ目」の空欄部分に入力する。例えば、背表紙ページデータ５３が７ページの場合、空欄部に入力部１１を介して「７」を入力する。最後に、背表紙幅を「背表紙幅  mm」の空欄部分に入力する。例えば、背表紙幅が５ｍｍの場合、「５」を入力部１１を介して入力する。
【００４７】
次いで、図７を参照して、印刷データ７１の構成を説明する。印刷データ７１は文書ファイル１７を印刷可能なデータに変換したデータである。印刷データ７１は、設定情報７２と、画像データ７３と、から構成される。設定情報７２は、くるみ製本を行う際に必要な設定情報のことである。設定情報７２は、くるみ製本設定情報７４と、その他設定情報７９と、から構成される。くるみ製本設定情報７４は、くるみ製本で作成される冊子の設定情報のことである。くるみ製本設定情報７４は、製本設定７５と、背表紙ページデータ設定７６と、背表紙ページデータ番号設定７７と、背表紙幅設定７８と、から構成される。製本設定７５は、くるみ製本を行うか否かの設定情報である。背表紙ページデータ設定７６は、冊子に背表紙ページデータを用いるか否かの設定情報である。背表紙ページデータ番号設定７７は、背表紙ページデータとして用いる文書ファイル１７のページ番号の設定情報である。背表紙幅設定７８は、背表紙ページの幅の設定情報である。例えば、図６で設定した情報は、製本設定＝ＯＮ、背表紙設定＝有り、背表紙ページ番号＝７、背表紙幅＝５ｍｍとなる。
【００４８】
その他設定情報７９は、排紙トレイ設定８０と、給紙トレイ設定８１と、から構成される。排紙トレイ設定８０は、画像形成装置２における排紙トレイの場所の設定情報である。給紙トレイ設定８１は、画像形成装置２における給紙トレイの場所の設定情報である。例えば、排紙トレイが「Main」トレイの場合、排紙トレイ＝Mainとなる。同様に、給紙トレイが「Tray1」の場合、給紙トレイ＝Tray1となる。
【００４９】
画像データ７３は、文書ファイル１７の各ページデータで構成される。各ページデータは文字、絵及び写真等からなる画像データ７３として保存される。
【００５０】
次いで、図８を参照して、情報処理装置１の制御部１０で実行される印刷データ送信処理の流れを説明する。印刷データ送信処理は、印刷データ７１を生成して画像形成装置２に送信する処理である。
【００５１】
例えば、情報処理装置１において、印刷データ送信処理の実行指示が入力部１１を介して入力されたこと等をトリガとして、ＨＤＤ１３から読み出されて適宜ＲＡＭに展開された印刷データ送信プログラムに基づいて、制御部１０が印刷データ送信処理を実行する。
【００５２】
先ず、くるみ製本を行う文書ファイル１７がＨＤＤ１３から選択され、読み出される（ステップＳ１０１）。そして、ユーザにより入力部１１を介して入力された指示に従って、くるみ製本設定及びその他設定が行われる（ステップＳ１０２）。ここで、くるみ製本設定とは、図７に示した製本設定７５、背表紙ページデータ設定７６、背表紙ページデータ番号設定７７及び背表紙幅設定７８からなる、くるみ製本設定情報７４を設定することをいう。また、その他設定とは、排紙トレイ設定８０及び給紙トレイ設定８１からなる、その他設定情報７９を設定することをいう。
【００５３】
次いで、ステップＳ１０２で設定されたくるみ製本設定情報７４及びその他設定情報７９を付与した印刷データ７１が作成される（ステップＳ１０３）。そして、作成された印刷データ７１が画像形成装置２に送信される（ステップＳ１０４）。印刷データ７１が画像形成装置２に送信されると印刷データ送信処理は終了する。
【００５４】
次いで、図９を参照して、画像形成装置２で実行される面付け処理について説明する。ここで、面付け処理とは、印刷データ７１をページの順番が並ぶように処理することをいう。図９の（Ａ）に、例えば、くるみ製本「有り」、背表紙ページデータ「有り」、背表紙ページデータ７ページ目、背表紙幅５ｍｍで面付け処理を行う場合について示す。また、文書ファイル１７は図５に示したものとして説明する。この場合、冊子の表側は表紙ページデータ５１の最終ページであるＰ６と、表紙ページデータ５１の最初のページであるＰ１と、背表紙ページデータ５３のＰ７と、から構成される。また、冊子の裏側は、表紙ページデータ５１のＰ２と、Ｐ５と、から構成される。このとき、背表紙の裏側の面付け処理は行わない。
【００５５】
図９の（Ｂ）に、くるみ製本「有り」、背表紙ページデータ「無し」、背表紙幅５ｍｍで面付け処理を行う場合について示す。この場合、冊子の表側は、表紙ページデータ５１の最終ページであるＰ６と、表紙ページデータ５１の最初のページであるＰ１と、から構成される。また、冊子の裏側は、表紙ページデータ５１のＰ２と、Ｐ５と、から構成される。
【００５６】
次いで、図１０を参照して、画像形成装置２で実行されるくるみ製本処理について説明する。図１０の（Ａ）に、くるみ製本処理を説明するための補足図を示す。図１０の（Ｂ）にくるみ製本処理の流れを示す。くるみ製本処理は、画像形成装置２においてくるみ製本を実施する処理である。
【００５７】
図１０の（Ａ）に、表紙（外面）のページ番号がＣ，Ａと、背表紙のページ番号がＢと、から構成される図を示す。また、表紙（内面）のページ番号がＤ，Ｅから構成される図を示す。以下、図１０（Ａ）に示したページ番号にしたがって、図１０（Ｂ）に示すくるみ製本処理の流れを説明する。
【００５８】
例えば、画像形成装置２において、印刷データ７１が通信部２４を介して情報処理装置１から受信されたこと等をトリガとして、ＲＯＭから読み出されて適宜ＲＡＭに展開されたくるみ製本プログラムに基づいて、制御部２０がくるみ製本処理を実行する。
【００５９】
先ず、情報処理装置１から送信された印刷データ７１が通信部２４を介して受信される。受信された印刷データ７１を画像形成装置２内部の印刷設定に反映させるため、印刷データ７１が解析される（ステップＳ２０１）。具体的には、図７で示した印刷データ７１のＪｏｂ設定情報である設定情報７２を画像形成装置２内部の印刷設定に反映させる。
【００６０】
次いで、くるみ製本設定情報７４が参照され、製本設定７５が［有り］か否かが判別される（ステップＳ２０２）。製本設定７５が「無し」の場合（ステップＳ２０２；ＮＯ）、後述するステップＳ２０９へ移行される。
【００６１】
製本設定７５が「有り」の場合（ステップＳ２０２；ＹＥＳ）、表紙（外面）のＡに、画像データ７３のうちの表紙ページデータ５１の最初のページ画像が面付けされる（ステップＳ２０３）。
【００６２】
そして、くるみ製本設定情報７４が参照され、背表紙ページデータ５３が「有り」か否かが判別される（ステップＳ２０４）。背表紙ページデータ５３が「無し」の場合（ステップＳ２０４；ＮＯ）、背表紙の幅分Ｂが空白にされる（ステップＳ２１１）。ステップＳ２１１の実行後、後述するステップＳ２０６へ移行される。
【００６３】
ステップＳ２０４において、背表紙ページデータ５３が「有り」の場合（ステップＳ２０４；ＹＥＳ）、画像データ７３のうちの背表紙ページデータ５３から背表紙幅分の画像が切り取られる。そして、表紙（外面）のＢに面付けされる（ステップＳ２０５）。
【００６４】
そして、表紙（外面）のＣに表紙ページデータ５１の最終ページ画像が面付けされる（ステップＳ２０６）。さらに、表紙（内面）のＤに表紙ページデータ５１の（最初のページ＋１）ページ画像が面付けされる（ステップＳ２０７）。
【００６５】
そして、表紙（内面）のＥに表紙ページデータ５１の（最終のページ−１）ページ画像が面付けされる（ステップＳ２０８）。その後、印刷処理が行われる（ステップＳ２０９）。印刷処理は、ステップＳ２０１〜Ｓ２０８及びＳ２１１で面付け処理された表紙の印刷データ７１と表紙以外の印刷データ７１とが印刷媒体に印刷される。
【００６６】
そして、後処理が行われる（ステップＳ２１０）。後処理は、本文部４２と背表紙４４とが糊づけされることによりくるみ製本が行われる。ステップＳ２１０の実行後、くるみ製本処理は終了される。
【００６７】
以上、本実施の形態によれば、既に存在する文書ファイル１７の所望のページのデータを用いて背表紙用の印刷を指示するため、印刷指示を行う際に背表紙用に入力作業を行う必要が無く、くるみ印刷時の印刷設定が簡素化される。また、文書ファイル１７の内容を背表紙４４として適用できるため、文書ファイル１７が画像を扱えるアプリケーションにより作成されたものであれば、背表紙４４として画像を印刷することができる。
【００６８】
また、背表紙用の印刷指示及び本文用の印刷指示を同一の文書ファイル１７を用いて行えるため、背表紙用のデータファイル、本文用のデータファイルといった別個のファイルを用意する必要が無く、くるみ印刷時の印刷設定が更に簡略化される。
【００６９】
また、背表紙用の印刷指示及び表表紙、裏表紙用の印刷指示を同一の文書ファイル１７を用いて行えるため、背表紙用のデータファイル、表表紙、裏表紙用のデータファイルといった別個のファイルを用意する必要が無く、くるみ印刷時の印刷設定が更に簡略化される。
【００７０】
また、印刷設定時に背表紙用の所望のページを指定できるため、印刷設定時の自由度が高くなる。
【００７１】
また、印刷設定時に文書ファイル１７のページ番号を指定することにより背表紙用の所望のページを行うため、文書ファイル１７作成時に文書ファイル１７中における背表紙４４のページ位置を意識する必要が無い。
【００７２】
また、印刷設定時に背表紙印刷要否を指定できるため、くるみ製本用の印刷設定の自由度を確保できる。
【００７３】
また、文書ファイル１７を直接印刷できない、ダイレクトプリント非対応の画像形成装置に対しても、くるみ印刷の設定を簡易に行うことができる。
【００７４】
なお、上記実施の形態における記述は、本発明に係る情報処理装置、及びプログラムの一例であり、これに限定されるものではない。
【００７５】
例えば、上記実施の形態では、背表紙ページデータとなるページ番号を指定している。しかし、この指定をなくし、必ず先頭ページ又は最終ページを背表紙ページデータと扱うこととしてもよい。
【００７６】
また、背表紙ページデータとするページを同一文書ファイルにある特定ページとして説明したが、別文書ファイルの特定ページとしてもよい。
【００７７】
その他、上記実施の形態における情報処理装置１の細部構成及び詳細動作に関しても、本発明の趣旨を逸脱しない範囲で適宜変更可能である。
【図面の簡単な説明】
【００７８】
【図１】本発明に係る画像形成システム１００の構成を示すブロック図である。
【図２】情報処理装置１の内部構成を示すブロック図である。
【図３】画像形成装置２の内部構成を示すブロック図である。
【図４】くるみ製本の概略図である。
【図５】文書ファイル１７を示す図である。
【図６】くるみ製本の設定画面を示す図である。
【図７】印刷データ７１を示す図である。
【図８】印刷データ送信処理を示すフローチャートである。
【図９】面付け処理を説明する図である。
【図１０】くるみ製本処理を示すフローチャートである。
【符号の説明】
【００７９】
１    情報処理装置
２    画像形成装置
１０  制御部
１１  入力部
１２  表示部
１３  ＨＤＤ
１４  通信部
１５  ＯＳ
１６  プリンタドライバプログラム
１７  文書ファイル
１８  バス
２０  制御部
２１  画像処理部
２２  印刷処理部
２３  後処理部
２４  通信部
２５  バス
４１  表紙部
４２  本文部
４３  表表紙
４４  背表紙
４５  裏表紙
５１  表紙ページデータ
５２  本文ページデータ
５３  背表紙ページデータ
７１  印刷データ
７２  設定情報
７３  画像データ
７４  くるみ製本設定情報
７５  製本設定
７６  背表紙ページデータ設定
７７  背表紙ページデータ番号設定
７８  背表紙幅設定
７９  その他設定情報
８０  排紙トレイ設定
８１  給紙トレイ設定
１００  画像形成システム
Ｎ    ネットワーク
【図１】
2007206953.tif 000003
【図２】
2007206953.tif 000004
【図３】
2007206953.tif 000005
【図４】
2007206953.tif 000006
【図５】
2007206953.tif 000007
【図６】
2007206953.tif 000008
【図７】
2007206953.tif 000009
【図８】
2007206953.tif 000010
【図９】
2007206953.tif 000011
【図１０】
2007206953.tif 000012